(57)【要約】【課題】シャフトを交換することなくグリップ部材を交換可能とし、長さ、剛性等の特性を変更することが可能なゴルフクラブを提供すること【解決手段】ヘッド１１に固定されるシャフト１２と、このシャフト１２のバット側に装着されるグリップ部材１３とを備えてゴルフクラブ１０が構成される。グリップ部材１３は、シャフト１２を受容するパイプ２２と、当該パイプ２２の外周側に装着されるグリップ２３とを含み、当該グリップ部材１３は、それぞれ特性が異なる複数種からなり、何れかのグリップ部材１３を選択することで、シャフト１２に対して交換可能となっている。【選択図】図４
2014147609.tif 000002
【特許請求の範囲】
【請求項１】
ゴルフクラブヘッドに固定されるシャフトと、当該シャフトのバット側を受容するパイプ及び当該パイプの外周側に装着されたグリップを含むグリップ部材とを備え、
前記グリップ部材は、それぞれ特性が異なる複数のグリップ部材を含み、これらグリップ部材は、前記シャフトに選択的に装着可能に設けられていることを特徴とするゴルフクラブ。
【請求項２】
ゴルフクラブヘッドに固定されるシャフトと、当該シャフトのバット側を受容するパイプ及び当該パイプの外周側に装着されたグリップを含むグリップ部材とを備え、
前記シャフトのバット側に設けられる第１の部材と、前記パイプのグリップエンド側に設けられて前記シャフトの差し込み位置を規制する中間部材と、前記グリップエンドから挿入され前記中間部材を介して前記第１の部材に連結される第２の部材とを含み、
前記パイプ内の中間部材の位置を異ならせた複数のグリップ部材が設けられ、何れかのグリップ部材を選択的に用いて第１及び第２の部材を連結することで、当該グリップ部材に応じて長さが変更可能に設けられていることを特徴とするゴルフクラブ。
【請求項３】
ゴルフクラブヘッドに固定されるシャフトと、当該シャフトのバット側を受容するパイプ及び当該パイプの外周側に装着されたグリップを含むグリップ部材とを備え、
前記シャフトのバット側に設けられる第１の部材と、前記パイプのグリップエンド側に設けられた中間部材と、前記グリップエンドから挿入され前記中間部材を介して前記第１の部材に連結される第２の部材とを更に含み、
前記グリップ及び／又はパイプの長さが異なる複数のグリップ部材が設けられ、何れかのグリップ部材を選択的に用いて第１及び第２の部材を連結することで、当該グリップ部材に応じて剛性が変更可能に設けられていることを特徴とするゴルフクラブ。
【請求項４】
前記第１の部材と前記中間部材は前記シャフトの軸線方向に沿って相対回転不能に嵌合し、前記第２の部材は、前記中間部材を貫通して前記第１の部材に係合可能なボルトにより構成されていることを特徴とする請求項２又は３記載のゴルフクラブ。
【請求項５】
前記中間部材とグリップエンドとの間に、前記パイプと略同軸線上に位置するスペーサが配置可能に設けられていることを特徴とする請求項２又は４記載のゴルフクラブ。
【発明の詳細な説明】
【技術分野】
【０００１】
本発明はゴルフクラブに係り、更に詳しくは、グリップ部材を交換することで長さ、剛性等、シャフトに要求される種々の特性を変更することができるゴルフクラブに関する。
【背景技術】
【０００２】
ゴルフクラブは、ヘッドと、当該ヘッドに連結されるシャフトとからなる。シャフトのバット側には、当該シャフトを握る領域となるグリップが装着される構成となっている。
ゴルフクラブのシャフトは、その長さが飛距離に影響を与え、また、硬さ（剛性）によってボールの方向性や振り心地に影響を与えるといった種々の特性を備えている。そのため、長さ、硬さ、重さ等、それらの特性に応じて個性化されたシャフトがゴルフクラブとは別のオプションとして市販されている。
多くのユーザーは、販売時のゴルフクラブを構成しているシャフトをそのまま利用しているのが通常であるため、特性を変更したい場合には、シャフト交換（リシャフト）によって対応しているのが実情である。
【０００３】
特許文献１には、リシャフトに対応することのできるシャフト着脱構造が開示されており、また、特許文献２には、シャフト全長を変更することが可能な構成が提案されている。
【先行技術文献】
【特許文献】
【０００４】
【特許文献１】特開２００８−２８４２８９号公報
【特許文献２】特開２０１１−１３６０９３号公報
【発明の開示】
【発明が解決しようとする課題】
【０００５】
特許文献１に記載されたゴルフクラブは、リシャフトによってユーザーの要求に対応したゴルフクラブ設定が可能となるが、シャフト全体の交換となることで非常に高価となり、経済的な負担が大きいものとなる。しかも、ヘッド側にシャフト着脱のための機構が設けられていることで、ヘッド重量が重くなり、ゴルフクラブのバランスや、各種機能に関して設計上の自由度を狭めてしまう、という不都合を招来する。
また、特許文献２にあっては、グリップエンドに延長部材を連結することで長さを変更可能とするものであり、シャフトの長さのみの変更となり、それ以外の要素は変更できない、という制約がある。
【０００６】
本発明の目的は、このような不都合に着目して案出されたものであり、その目的は、シャフトを交換することなくグリップ部材を交換可能とし、長さ、剛性等の特性を変更することが可能なゴルフクラブを提供することにある。
【課題を解決するための手段】
【０００７】
前記目的を達成するため、本発明は、特許請求の範囲記載の構成を採用したものであり、具体的には、ゴルフクラブヘッドに固定されるシャフトと、当該シャフトのバット側を受容するパイプ及び当該パイプの外周側に装着されたグリップを含むグリップ部材とを備え、
前記グリップ部材は、それぞれ特性が異なる複数のグリップ部材を含み、これらグリップ部材は、前記シャフトに選択的に装着可能に設けられる、という構成を採っている。
【０００８】
また、本発明は、ゴルフクラブヘッドに固定されるシャフトと、当該シャフトのバット側を受容するパイプ及び当該パイプの外周側に装着されたグリップを含むグリップ部材とを備え、
前記シャフトのバット側に設けられる第１の部材と、前記パイプのグリップエンド側に設けられて前記シャフトの差し込み位置を規制する中間部材と、前記グリップエンドから挿入され前記中間部材を介して前記第１の部材に連結される第２の部材とを含み、
前記パイプ内の中間部材の位置を異ならせた複数のグリップ部材が設けられ、何れかのグリップ部材を選択的に用いて第１及び第２の部材を連結することで、当該グリップ部材に応じて長さが変更可能に設けられる、という構成を採っている。
【０００９】
更に、本発明は、ゴルフクラブヘッドに固定されるシャフトと、当該シャフトのバット側を受容するパイプ及び当該パイプの外周側に装着されたグリップを含むグリップ部材とを備え、
前記シャフトのバット側に設けられる第１の部材と、前記パイプのグリップエンド側に設けられた中間部材と、前記グリップエンドから挿入され前記中間部材を介して前記第１の部材に連結される第２の部材とを更に含み、
前記グリップ及び／又はパイプの長さが異なる複数のグリップ部材が設けられ、何れかのグリップ部材を選択的に用いて第１及び第２の部材を連結することで、当該グリップ部材に応じて剛性が変更可能に設けられる、という構成を採っている。
【００１０】
本発明において、前記第１の部材と前記中間部材は前記シャフトの軸線方向に沿って相対回転不能に嵌合し、前記第２の部材は、前記中間部材を貫通して前記第１の部材に係合可能なボルトにより構成することができる。
【００１１】
また、前記中間部材とグリップエンドとの間に、前記パイプと略同軸線上に位置するスペーサが配置可能に設けられる、という構成を採ることが好ましい。
【発明の効果】
【００１２】
本発明によれば、特性の異なる複数のグリップ部材から所望するグリップ部材を選択してシャフトに装着可能となるため、シャフトの長さ、硬さ、重さ、バランス、グリップの太さ、バックライン角度、グリップの材質や色等を容易に変更することができ、ユーザーによる多様なニーズに対応することができる。
【００１３】
具体的には、パイプに対してシャフトの差し込み深さを規制する中間部材の位置を異ならせた複数のグリップ部材を設ける構成としたから、グリップ部材を交換するだけで、ゴルフクラブの長さを変更することが可能となり、リシャフトする場合の経済的な負担を軽減できるとともに、ヘッド側を重くしてしまう不都合も解消することができる。
【００１４】
また、グリップ及び／又はパイプの長さが異なる複数のグリップ部材を設ける構成とした場合には、リシャフトすることなく、シャフトの剛性を変更することが可能となる。
【００１５】
更に、シャフトのバット側に設けられた第１の部材とパイプのグリップエンド側に設けられた中間部材が相対回転不能に嵌合し、当該中間部材を介して第２の部材が第１の部材に連結される構成としたから、グリップ部材とシャフトとが軸線方向に相対移動可能な構成であっても、グリップがシャフト回りに回転してしまうような不都合は生じない。
【００１６】
また、中間部材とグリップエンドとの間にスペーサを配置する構成では、グリップエンド側の形状安定性が確保でき、中間部材とグリップエンドとの間に空間が生じる場合であっても、グリップが凹んだり、折れ曲がったりする可能性を効果的に回避することができる。
【図面の簡単な説明】
【００１７】
【図１】本実施形態に係るゴルフクラブの概略斜視図。
【図２】シャフトのバット側断面図。
【図３】図２の分解図。
【図４】中間部材の位置が異なる複数のグリップ部材ごとにシャフトを差し込んだ状態を示す断面図。
【図５】長さが異なる複数のグリップ部材ごとにシャフトを差し込んだ状態を示す断面図。
【発明を実施するための形態】
【００１８】
図１において、ゴルフクラブ１０は、ヘッド１１と、当該ヘッド１１に固定されたシャフト１２と、このシャフト１２のバット側に装着されたグリップ部材１３とを備えて構成されている。ヘッド１１は中空をなし、そのヒール側上部のホーゼル１４にシャフト１２が挿入されて固定されている。
【００１９】
前記シャフト１２は、例えば、カーボン、ステンレス等の公知のパイプ材により構成され、図２及び図３に示されるように、バット側に第１の部材１５を備えて構成されている。この第１の部材１５は、シャフト１２内に挿入される筒体１６と、この筒体１６の図中上端側に位置してシャフト１２のバット端に着座する端壁１７と、当該端壁１７に連なるとともに、内周側に雌ねじ１８が形成された角柱部２０とにより構成されている。なお、端壁１７の外周側には段部１７Ａが形成されており、当該段部１７Ａにシャフト１２を突き当てた状態で、筒部１６が接着剤や両面テープを介してシャフト１２内に固定されている。
【００２０】
前記グリップ部材１３は、本実施形態では、図４（Ａ）〜（Ｃ）に示されるように、シャフト１２の差し込み深さを異ならせることのできる３種類（以下、第１グリップ部材１３Ａ、第２のグリップ部材１３Ｂ、第３のグリップ部材１３Ｃとする）が用意されている。第１のグリップ部材１３Ａはシャフト１２の差し込み深さが最も深く、第２のグリップ部材１３Ｂは、差し込み深さが第１のグリップ部材１３Ａよりも０．５インチ短く、第３のグリップ部材１３Ｃは差し込み深さが更に０．５インチ短くなるものとして構成されている。従って、本実施形態では、第１のグリップ部材１３Ａがシャフト１２に装着されているゴルフクラブから、第３のグリップ部材１３Ｃに交換した場合、１インチ長いゴルフクラブに変更できることになる。
【００２１】
図３に示されるように、前記グリップ部材１３は、シャフト１２のバット側を受容するパイプ２２及び当該パイプ２２の外周側に装着されたグリップ２３を備えて構成されている。パイプ２２は、例えば、カーボン、ステンレス等の材料により構成することができ、その内径は、シャフト１２を緩みなく受容した状態で、当該シャフト１２と軸方向に相対移動（抜き差し）可能となる大きさに設けられている。パイプ２２のグリップエンド側となる図中上部内周にはシャフト１２の差し込み位置を規制するための中間部材２５が固定されている。この中間部材２５は、第１の部材１５の角柱部２０の外面形状に対応する内面形状を備えて当該角柱部２０を受け入れ可能な受容部２６と、この受容部２６に連通してグリップエンド側に開口するとともに、第２の部材としてのボルト２７を通過させることができる貫通孔２８とにより構成されている。
【００２２】
前記中間部材２５は、パイプ２２の内周側に接着剤又は両面テープ等を用いて固定されている。この中間部材２５の図３中外周上端部はパイプ２２の端部に着座可能な段部２５Ａが形成され、当該段部２５Ａをパイプ２２の端部に突き当てることにより、パイプ２２に対する中間部材２５の固定位置が決定されるようになっている。
【００２３】
前記パイプ２２とグリップ２３は、パイプ２２がグリップ２３よりも若干短いだけで、実質的には略同じ程度の長さとなっている。グリップ２３は接着剤や両面テープ等を介してパイプ２２の外周に固定され、グリップ２３とパイプ２２は相対回転不能な状態で一体化される。なお、グリップ２３のグリップエンド２３Ａには穴２３Ｂが形成されており、当該穴２３Ｂを通じてボルト２７が挿入可能とされ、当該ボルト２７は、中間部材２５を介して第１の部材１５の雌ねじ１８にねじ込み可能となっている。
【００２４】
図４に示されるように、複数のグリップ部材１３Ａ〜１３Ｃのうち、第２、第３のグリップ部材１３Ｂ、１３Ｃを構成するグリップ２３は、中間部材２５とグリップエンド２３Ａとの間に管状体からなるスペーサ３０がパイプ２２と略同軸線上に位置するように配置され、当該スペーサ３０の存在により、グリップエンド２３Ａと中間部材２５との間におけるグリップ２３の形状が安定して保たれるようになっている。
【００２５】
以上の構成において、例えば、図４（Ａ）に示されるように、第１のグリップ部材１３Ａがシャフト１２に装着されている場合には、本実施形態では、最も短いゴルフクラブとなる。ここで、クラブ長さを０．５インチ長くしたい場合には、第１の部材１５の雌ねじ１８に締め付けられている第２の部材としてのボルト２７による係合を解除し、シャフト１２をグリップ部材１３Ａから抜き出せばよい。
そして、当該抜き出したシャフト１２を、第２のグリップ部材１３Ｂに差し込み、グリップエンド２３Ａの穴２３Ｂにボルト２７を挿入し、中間部材２５を介して雌ねじ１８に締め付け固定することでグリップ部材１３Ｂへの交換を完了することができる。
また、第３のグリップ部材１３Ｃを用いる場合にも、同様の作業を行うことで交換可能となり、第１のグリップ部材１３Ａを用いたものに比べて１インチ長いゴルフクラブとすることができる。
【００２６】
従って、本実施形態によれば、グリップ部材１３Ａ〜１３Ｃの何れかを選択してシャフト１２に装着することで、例えば、長めのシャフトとして飛距離を延ばす特性を付与したり、短めのシャフトとして方向の安定性を追求するといった特性変更が可能となる。
【００２７】
次に、本発明の前記以外の実施形態について、図５をも参照しながら説明する。
この実施形態は、グリップ部材１３を構成するパイプ２２及び／又はグリップ２３の長さが異なる３種のグリップ部材１３Ａ、１３Ｄ、１３Ｅを用意したところに特徴を有する。
具体的には、図５（Ａ）に示される第１のグリップ部材１３Ａは、図４（Ａ）に示すものと実質的に同一であって、当該第１のグリップ部材１３Ａを基準としたときに、図５（Ｂ）の第４のグリップ部材１３Ｄは、パイプ２２とグリップ２３がそれぞれ１インチ短く設定され、図５（Ｃ）の第５のグリップ部材１３Ｅは、第１のグリップ部材１３Ａに対して、パイプ２２が２インチ長く設定されている。
従って、これらグリップ部材１３Ａ、１３Ｄ、１３Ｅの何れかを選択してシャフト１２に装着することで、当該シャフト１２の剛性を変更することが可能となる。
例えば、第１のグリップ部材１３Ａから第４のグリップ部材１３Ｄに交換した状態では、当該グリップ部材１３Ｄが短くなる分、シャフト全体としての剛性を低くする結果、撓り易いゴルフクラブとすることができる。また、第１のグリップ部材１３Ａから第５のグリップ部材１３Ｅに交換したときは、パイプ２２が長く設定された分だけシャフト全体としての剛性を高くする結果、相対的に撓りが小さいゴルフクラブとなる。
従って、ユーザーは、例えば、自らのヘッドスピードとの関係において、適切と思われるグリップ部材１３を選択し、レベルの進捗状況によって最適なグリップ部材１３への交換を行うことができる。
【００２８】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、当業者が様々な変更を加えることができるものである。
【００２９】
例えば、前記実施形態では、シャフト１２の差し込み深さを変更することができるグリップ部材１３と、長さが異なるグリップ部材１３を図示、説明したが、本発明はこれに限定されるものではなく、太さ、重さ、素材、色、バックライン等がそれぞれ異なる複数のグリップ部材を用意し、任意のグリップ部材を選択してシャフト１２に着脱できるようにすることも可能である。要するに、本発明は、リシャフトすることなくグリップ部材を交換可能なタイプであれば足りる。
【００３０】
また、図５に示されるグリップ部材１３は、パイプ２２及びグリップ２３の長さを変化させるにあたり、何れか一方、又は、双方の長さを変化させる構成とすることができる。要するに、シャフト１２の剛性を変更可能とするものであればよい。
また、本発明は、ウッドタイプのゴルフクラブ、ユーティリティと称されるゴルフクラブ、アイアンゴルフクラブに適用することができる。
【符号の説明】
【００３１】
１０…ゴルフクラブ、１１…ヘッド、１２…シャフト、１３…グリップ部材、１５…第１の部材、２２…パイプ、２３…グリップ、２３Ａ…グリップエンド、２５…中間部材、２７…ボルト（第２の部材）、３０…スペーサ
【図１】
2014147609.tif 000003
【図２】
2014147609.tif 000004
【図３】
2014147609.tif 000005
【図４】
2014147609.tif 000006
【図５】
2014147609.tif 000007